【手続補正書】
【提出日】平成27年10月8日(2015.10.8)
【手続補正１】
【補正対象書類名】特許請求の範囲
【補正対象項目名】全文
【補正方法】変更
【補正の内容】
【特許請求の範囲】
【請求項１】
光を射出する光源装置と、
前記光源装置から射出される光を画像信号に基づいて変調する光変調装置と、
前記光変調装置により変調された光を投射する投射光学装置と、
前記光源装置、前記光変調装置、および前記投射光学装置を収容する筐体と、
前記筐体の内部の空気を外部に排出する第１のファンと、
前記第１のファンを制御するファン制御部と、を備え、
前記ファン制御部は、前記光源装置が画像の通常表示のときに対応する輝度よりも低い輝度で発光するとき、前記第１のファンを間欠的に動作させることを特徴とするプロジェクター。
【請求項２】
請求項１に記載のプロジェクターであって、
前記光源装置を冷却する第２のファンを備え、
前記ファン制御部は、前記光源装置が前記通常表示のときに対応する輝度よりも低い輝度で発光するとき、前記第２のファンを停止させることを特徴とするプロジェクター。
【請求項３】
請求項１または請求項２に記載のプロジェクターであって、
前記光源装置が前記通常表示のときに対応する輝度よりも低い輝度で発光するときとは、前記光源装置へ供給される電力が前記通常表示のときに供給される電力よりも低い動作モードであることを特徴とするプロジェクター。
【請求項４】
請求項１または請求項２に記載のプロジェクターであって、
前記光源装置が前記通常表示のときに対応する輝度よりも低い輝度で発光するときとは、前記光変調装置を非表示状態とする動作モードであることを特徴とするプロジェクター。
【請求項５】
請求項１ないし請求項４のいずれか一項に記載のプロジェクターであって、
前記光源装置の温度を検出する第１の温度センサーと、
前記筐体の内部の光学部品の温度を検出する第２の温度センサーと、を備え、
前記ファン制御部は、前記第１のファンが間欠的に動作するとき、前記第２の温度センサーにより検出される温度が前記光学部品の許容温度範囲における上限域に対応する場合に前記第１のファンを動作させ、前記第１の温度センサーにより検出される温度が前記光源装置の許容温度範囲における下限域に対応する場合に前記第１のファンを停止させることを特徴とするプロジェクター。
【請求項６】
請求項５に記載のプロジェクターであって、
前記第１の温度センサーおよび前記第２の温度センサーは、一つの温度センサーであることを特徴とするプロジェクター。
【請求項７】
請求項１ないし請求項４のいずれか一項に記載のプロジェクターであって、
前記ファン制御部は、前記第１のファンの動作の切り替えプログラムに基づいて、前記第１のファンを間欠的に動作させることを特徴とするプロジェクター。
【請求項８】
請求項１ないし請求項７のいずれか一項に記載のプロジェクターであって、
前記第１のファンが間欠的に動作するときの最大回転数が、前記通常表示のときの前記第１のファンの回転数よりも低いことを特徴とするプロジェクター。
【請求項９】
請求項１ないし請求項８のいずれか一項に記載のプロジェクターであって、
前記ファン制御部は、前記光源装置が前記画像の通常表示のときに対応する輝度よりも低い輝度で発光するとき、前記第１のファンの回転数を低下させて前記第１のファンを所定時間駆動し、その後、前記第１のファンの駆動および停止を繰り返すことを特徴とするプロジェクター。
【請求項１０】
光を射出する光源装置、前記光源装置を収容する筐体、および前記筐体の内部の空気を外部に排出する第１のファンを備え、光を投射するプロジェクターの制御方法であって、
前記光源装置を、投射される画像が通常表示のときに対応する輝度よりも低い輝度で発光させるステップと、
前記第１のファンを間欠的に動作させるステップと、を備えることを特徴とするプロジェクターの制御方法。
【手続補正２】
【補正対象書類名】明細書
【補正対象項目名】発明の名称
【補正方法】変更
【補正の内容】
【発明の名称】プロジェクターおよびプロジェクターの制御方法
【手続補正３】
【補正対象書類名】明細書
【補正対象項目名】００１１
【補正方法】変更
【補正の内容】
【００１１】
本発明の一つの態様のプロジェクターにおいて、前記光源装置が前記通常表示のときに対応する輝度よりも低い輝度で発光するときとは、前記光源装置へ供給される電力が前記通常表示のときに供給される電力よりも低い動作モードであってもよい。
【手続補正４】
【補正対象書類名】明細書
【補正対象項目名】００１２
【補正方法】変更
【補正の内容】
【００１２】
この構成によれば、光源装置へ供給される電力が通常表示のときに供給される電力よりも低い動作モードにおいて、光源装置の輝度が低下する。これにより、光変調装置の信頼性を高められ、低消費電力のプロジェクターを実現できる。
【手続補正５】
【補正対象書類名】明細書
【補正対象項目名】００１３
【補正方法】変更
【補正の内容】
【００１３】
本発明の一つの態様のプロジェクターにおいて、前記光源装置が前記通常表示のときに対応する輝度よりも低い輝度で発光するときとは、前記光変調装置を非表示状態とする動作モードであってもよい。
【手続補正６】
【補正対象書類名】明細書
【補正対象項目名】００１４
【補正方法】変更
【補正の内容】
【００１４】
この構成によれば、光変調装置を非表示状態とする動作モードにおいて光源装置に供給する電力が低下し、光源装置の輝度が低下する。これにより、光変調装置の信頼性を高めることができる。
【手続補正７】
【補正対象書類名】明細書
【補正対象項目名】００２２
【補正方法】変更
【補正の内容】
【００２２】
この構成によれば、通常表示のときの第１のファンの回転数で間欠動作を行った場合に比べて、回転数の振幅が小さくなる。これにより、温度変化が緩やかになり、回転／停止の切り替えの頻度を低減することができる。
また、本発明の一つの態様のプロジェクターにおいて、前記ファン制御部は、前記光源装置が前記画像の通常表示のときに対応する輝度よりも低い輝度で発光するとき、前記第１のファンの回転数を低下させて前記第１のファンを所定時間駆動し、その後、前記第１のファンの駆動および停止を繰り返すものであってもよい。
また、本発明の一つの態様のプロジェクターの制御方法は、光を射出する光源装置、前記光源装置を収容する筐体、および前記筐体の内部の空気を外部に排出する第１のファンを備え、光を投射するプロジェクターの制御方法であって、前記光源装置を、投射される画像が通常表示のときに対応する輝度よりも低い輝度で発光させるステップと、前記第１のファンを間欠的に動作させるステップと、を備えることを特徴とする。
【手続補正８】
【補正対象書類名】明細書
【補正対象項目名】００３９
【補正方法】変更
【補正の内容】
【００３９】
図１に示すように、ランプファン４は、均一照明光学装置５２および第１のダイクロイックミラー５３１との近傍に設置されている。ランプファン４は、例えばシロッコファンにより構成される。ランプファン４は、例えば筐体６の外部の空気を取り込んで光源装置５１に向けて冷却風として送り出すことで、ランプ５１１を含む光源装置５１を冷却する。冷却風の流れを符号ＦＬの矢印で示す。
【手続補正９】
【補正対象書類名】明細書
【補正対象項目名】００６７
【補正方法】変更
【補正の内容】
【００６７】
次に、排気ファン３を駆動すると、筐体６内の温度が低下し始める。ファン制御部７は、温度センサー５の温度検出結果からランプ５１１の温度を求め、ランプ５１１の温度が使用許容温度範囲の下限域に達したか否かを判断する（図５のステップＳ１１）。使用許容温度範囲の下限域は、温度下限規格値から所定の温度マージンを考慮した範囲の領域である。例えばランプ５１１の温度下限規格値が７００℃であり、温度マージンを５℃とした場合、ランプ５１１の温度が７００〜７０５℃の範囲に達したとき、ランプ５１１の温度が使用許容温度範囲の下限域に達したと判断する。